(57)【要約】【課題】ノズルから搬送機構の間の空間に浮遊しているインクミストを吸引するために吸引部と空間との経路が長くなると効率よくインクミストを吸引することができず、記録する画像の品質が劣化してしまう。また吸引部を回動させて空間と近接させると複雑な機構が必要となり装置の構造が複雑化してしまう。【解決手段】本発明において、メンテナンス部４６には、ノズル２２に残留した残留インクを吸引するメンテナンス吸引口４７と、インクミストをノズル２２近傍から吸引するインクミスト吸引口４８と、メンテナンス吸引口４７及びインクミスト吸引口４８と連通し、インク及びインクミスト吸引を兼用しているメンテナンス吸引経路管４９と、が設けられている。インクミスト吸引口４８がノズル２２の近傍に位置するために、経路が短くなり、効率よく吸引することができ、メンテナンス吸引経路管４９により簡易な構造にて吸引することができる。【選択図】      図２
2007216420.tif 000002
【特許請求の範囲】
【請求項１】
記録媒体に複数のノズルからインクを下方に向けて吐出する複数のインクヘッドと、
前記インクジェットヘッドに対向配置され、前記記録媒体を搬送する搬送機構と、
非画像記録時に前記インクヘッドと対向するように配置され、前記ノズルに残留する残留インクを吸引するメンテナンス吸引口と、前記メンテナンス吸引口と連通するメンテナンス吸引管と、前記メンテナンス吸引口に対して直交、または反対側に設けられ、画像記録時に前記インクヘッド近傍、または前記搬送機構に対向するように配置され、前記ノズル近傍に浮遊するインクミストを吸引するインクミスト吸引口と、前記インクミスト吸引口と連通するインクミスト吸引管と、を有する前記インクヘッドのメンテナンスを行うメンテナンス部と、複数の前記メンテナンス部を有するメンテナンスユニットと、
前記メンテナンス吸引管と前記インクミスト吸引管と連通している吸引部と、
を具備し、
前記非画像記録時に前記吸引部は前記インクヘッドと対向する前記メンテナンス吸引口から前記メンテナンス吸引管を介して前記残留インクを吸引し、前記画像記録時に前記吸引部は、前記インクヘッド近傍に配置される前記インクミスト吸引口から前記インクミスト吸引管を介して前記残留インクミストを吸引することを特徴とする画像記録装置。
【請求項２】
前記画像記録時に前記メンテナンスユニットが前記インクヘッド間に設けられる退避スペースに退避することにより、前記インクミスト吸引口は、前記インクヘッド近傍に配置及び／または前記搬送機構に対向するように配置され、前記吸引部は前記インクミスト吸引口から前記残留インクミストを吸引することを特徴とする請求項１に記載の画像記録装置。
【請求項３】
前記非画像記録時に前記メンテナンスユニットが前記インクヘッドに対向するように移動することにより、前記メンテナンス吸引口は、前記ノズルに対向配置され、前記吸引部は前記メンテナンス吸引口から前記残留インクミストを吸引することを特徴とする請求項１に記載の画像記録装置。
【請求項４】
前記メンテナンス吸引管と、前記インクミスト吸引管は、少なくとも一部で兼用であることを特徴とする請求項１に記載の画像記録装置。
【請求項５】
前記インクミスト吸引口の開口部は、インクミスト吸着フィルタを具備することを特徴とする請求項１に記載の画像記録装置。
【請求項６】
前記メンテナンスユニットは、
画像記録時に前記メンテナンス吸引口を覆うメンテナンス吸引蓋と、
非画像記録時に前記インクミスト吸引口を覆うインクミスト吸引蓋と、
を具備し、
前記メンテナンス吸引蓋が前記メンテナンス吸引口を覆うことにより前記インクミストを吸引する前記吸引部の吸引力が上昇し、前記インクミスト吸引蓋が前記インクミスト吸引口を覆うことにより前記残留インクを吸引する前記吸引部の吸引力が上昇することを特徴とする、請求項１に記載の画像記録装置。
【請求項７】
前記メンテナンス吸引蓋と前記インクミスト吸引蓋は、弾性部材であることを特徴とする請求項６に記載の画像記録装置。
【請求項８】
前記メンテナンス部は、
前記メンテナンス吸引経路管と、前記インクミスト吸引経路管と、の一方を開口し他方を閉口する開閉機構と、
を具備し、
前記ポンプは、前記開閉機構により開口した前記メンテナンス吸引経路管と、前記インクミスト吸引経路管と、のいずれかの管より前記残留インクまたは前記インクダストを吸引することを特徴とする請求項１に記載の画像記録装置。
【請求項９】
前記開閉機構は、弁であることを特徴とする請求項８に記載の画像記録装置。
【発明の詳細な説明】
【技術分野】
【０００１】
本発明は、画像記録媒体にインクを吐出させて画像を記録するインクジェット方式を用い、インク及びインクミスト等を吸引するメンテナンスユニットを搭載した画像記録装置に関する。
【背景技術】
【０００２】
一般に、画像記録装置は、ヘッドのノズルから例えば記録紙、ＯＨＰ用紙といった記録媒体にインクを吐出し画像を記録する。このような画像記録装置は、時間の経過、または記録枚数によってノズルにインクが固化して詰まってしまう。そのためインクのノズル詰まりを防止するために、画像記録装置には、定期的、あるいは記録枚数に応じてメンテナンスが必要である。
【０００３】
このようなメンテナンスには、ノズルの近傍に残留する残留インクを吸引部材により吸引してノズルの目詰まりを防止する吸引メンテナンスや、ノズルに付着した残留インク及び大気中のダストや吸引メンテナンスによって吸引できずにノズルに残留した残留インクを拭き取るワイピングメンテナンスなどがある。これらメンテナンスにより吸引・除去されたインクは、吸引部材によりタンクに送られる。
【０００４】
またインクジェットヘッドを搭載した画像記録装置のノズル及び記録媒体を搬送する搬送機構周辺には、微細なインクであるインクミストが浮遊しており、これらが装置内部の機構部や記録媒体の記録面に付着することで、性能の劣化や記録画像の画質の劣化などが生じてしまう。
【０００５】
このような劣化を防止するために、例えば従来にはインクミスト専用の吸引ユニットを設ける方法や、特許文献１が開示されている。
【０００６】
特許文献１に開示されているインクジェット記録装置は、メンテナンスユニットにメンテナンス吸引口を設けている。記録時にはメンテナンスユニットが記録ヘッドに対して退避しており、この状態で吸引手段を駆動してメンテナンス吸引口からインクミストを吸引している。また予備吐時にはメンテナンスユニットが記録ヘッドに対向し、この状態で吸引手段を駆動してメンテナンス吸引口からインクミストを吸引している。
【０００７】
次に従来のインクミスト専用の吸引ユニットを搭載した画像記録装置の構成を図６及び図７に示す。
【０００８】
図６は、従来の吸引ユニットを搭載した画像記録装置の概略斜視図、図７（ａ）はメンテナンスの際の図６に示した吸引ユニットを搭載した画像記録装置の概略側面図、図７（ｂ）は画像記録の際の吸引ユニットを搭載した画像記録装置の概略側面図、図７（ｃ）は画像記録の際にメンテナンス部が図７（ｂ）の状態から回動した吸引ユニットを搭載した画像記録装置の概略側面図である。
【０００９】
図６に示すように、ヘッドユニット１２０には、４個のヘッド１２１がＸ軸方向に等間隔に配置され、各ヘッド１２１は、搬送機構１３０によって搬送される記録媒体１０１にインクを吐出して画像を記録する。ヘッド１２１のメンテナンスを行うメンテナンス部１４６は、支柱１４１により支持されている。メンテナンス部１４６は、各ヘッド１２１にそれぞれメンテナンスを行うためにヘッド１２１の下流にそれぞれ配置され、メンテナンスユニット１４０を形成している。
【００１０】
メンテナンスの際は、図６に示すように、搬送機構１３０が図示しない昇降機構により下降すると共に、図７（ａ）に示すようにメンテナンスユニット１４０は下降し、さらにヘッド１２１に対向するように移動する。詳細にはメンテナンス部１４６のメンテナンス吸引口１４７がヘッド１２１のノズルに対向するようにメンテナンスユニット１４０は、下降しスライド移動する。ポンプ１７０により発生した負圧は、メンテナンス吸引口１４７を通じてノズルに残留した廃インクを吸引し、廃インクはタンク１８０に蓄積される。
【００１１】
画像記録の際は、図７（ｂ）に示すように、搬送機構１３０が上昇し、これに伴いメンテナンスユニット１４０は、ヘッド１２１間にスペースに退避する。詳細には各メンテナンス部１４６がヘッド１２１の下流に配置されるようにメンテナンスユニット１４０が、スライド移動し上昇する。このとき、ポンプ１７０により発生した負圧が、メンテナンス吸引口１４７を通じてインクミストを吸引する。または図７（ｃ）に示すように画像記録の際には、メンテナンス部１４６を回動させメンテナンス吸引口１４７をヘッド１２１方向に向け、インクミストを吸引する構成でもある。
【特許文献１】特開２００４−１７４８１９号公報
【発明の開示】
【発明が解決しようとする課題】
【００１２】
通常、ほとんどのインクミストは、ノズルから搬送機構の間の空間に浮遊している。そのため図７（ｂ）に示すように画像記録時において、メンテナンス吸引口１４７は、前記空間に対し距離があり、結果、インクミストが流れる流路が長くなり効率よくインクミストを吸引することができない。これにより記録する画像の品質が劣化してしまう。また図７（ｃ）に示すように、メンテナンス部１４６を回動させると、メンテナンス吸引口１４７と前記空間は近接する。しかしながら回動させるためには、メンテナンス部１４６を回動するための複雑な機構が必要となり装置の構造が複雑化してしまう。またメンテナンス吸引口１４７に存在するインクミストが、前記回動の動作により飛散し、ヘッド１２１や記録媒体１０１、搬送機構１３０を汚す虞がある。
【００１３】
そのため本発明は、効率よくインクミスト吸引できるインクミスト吸引機構を搭載した画像記録装置を提供することを目的とする。
【課題を解決するための手段】
【００１４】
本発明は目的を達成するために、記録媒体に複数のノズルからインクを下方に向けて吐出する複数のインクヘッドと、インクジェットヘッドに対向配置され、記録媒体を搬送する搬送機構と、非画像記録時にインクヘッドと対向するように配置され、ノズルに残留する残留インクを吸引するメンテナンス吸引口と、メンテナンス吸引口と連通するメンテナンス吸引管と、メンテナンス吸引口に対して直交、または反対側に設けられ、画像記録時にインクヘッド近傍、または搬送機構に対向するように配置され、ノズル近傍に浮遊するインクミストを吸引するインクミスト吸引口と、インクミスト吸引口と連通するインクミスト吸引管と、を有するインクヘッドのメンテナンスを行うメンテナンス部と、複数のメンテナンス部を有するメンテナンスユニットと、メンテナンス吸引管とインクミスト吸引管と連通している吸引部と、  を具備し、非画像記録時に吸引部はインクヘッドと対向するメンテナンス吸引口からメンテナンス吸引管を介して残留インクを吸引し、画像記録時に吸引部は、インクヘッド近傍に配置されるインクミスト吸引口から前記インクミスト吸引管を介して残留インクミストを吸引することを特徴とする画像記録装置を提供する。
【発明の効果】
【００１５】
本発明によれば、効率よくインクミスト吸引できるインクミスト吸引機構を搭載した画像記録装置を提供することができる。
【発明を実施するための最良の形態】
【００１６】
以下、図面を参照して本発明の実施形態について詳細に説明する。  
以下の説明において、図中、記録媒体の搬送方向をＸ軸方向又は副走査方向とし、この搬送方向と直交する方向をＹ軸方向又は主走査方向又は記録媒体の幅方向としている。Ｘ軸及びＹ軸方向に直交する方向をＺ軸方向又は上下方向とする。
【００１７】
図１及び図２を参照して第１の実施形態について説明する。  
図１は、本実施形態における画像記録装置の概略斜視図、図２（ａ）はメンテナンスの際の画像記録装置の概略側面図、図２（ｂ）は画像記録の際の画像記録装置の概略側面図である。
【００１８】
図１に示すように画像記録装置１０は、記録媒体１にインクを吐出して画像を記録するヘッドユニット２０と、ヘッドユニット２０に対向配置し、記録媒体１を吸着搬送する搬送機構３０と、ヘッドユニット２０のメンテナンスを行うメンテナンスユニット４０から構成される。
【００１９】
ヘッドユニット２０は、記録媒体１にインクを吐出して画像を記録する複数のヘッド２１から構成されている。各ヘッド２１は、それぞれのノズル２２から例えばブラック（Ｋ）、シアン（Ｃ）、マゼンタ（Ｍ）、イエロー（Ｙ）のインクを重力方向（垂直下方向）ヘ吐出して画像記録を行う。ヘッド２１は、シリアルヘッド（固定ヘッド）タイプの記録ヘッドである。図１に示すようにヘッド２１は、Ｘ軸方向においてヘッド間の距離が等間隔になるように配置されている。またヘッド２１は、Ｙ軸方向において搬送される記録媒体１の幅よりも長い構成である。
【００２０】
ヘッドユニット２０に対向配置されている搬送機構３０は、図示しない昇降機構によりＺ軸方向に昇降可能である。搬送機構３０には、環状のベルト３１が４つのローラ３２に掛け渡されており、ベルトコンベアを形成している。ベルト３１には、複数の小径の孔３３が開口されている。図示しない吸引ファンから発生する負圧が孔３３を介して記録媒体１をベルト３１に吸着させ、吸着した記録媒体１は搬送機構３０によって搬送される。
【００２１】
メンテナンスユニット４０は、各ヘッド２１のメンテナンスをそれぞれ行う複数のメンテナンス部４６と、により構成される。Ｙ軸方向において、メンテナンス部４６の長さは、ヘッド２１の長さ以上である。
【００２２】
またヘッド２１のＸ軸方向の側面には、Ｘ軸方向に沿ってメンテナンス部４６を移動させるために支持する支柱４１が設けられている。メンテナンス部４６は、支柱４１に沿ってノズル２２に対向する位置、もしくはヘッド２１の搬送方向下流側の側面（Ｙ軸方向における側面）近傍の退避スペースにスライド移動可能である（詳細は後述する）。  
メンテナンス部４６には、メンテナンスの際にノズル２２に残留した残留インクを吸引（メンテナンス）するためのメンテナンス吸引口４７と、メンテナンス吸引口４７とは異なる（メンテナンス吸引口４７とは直交する）箇所に設けられ、画像記録時にノズル２２から搬送機構３０の間の空間に浮遊しているインクミストを吸引（メンテナンス）するためのインクミスト吸引口４８と、メンテナンス吸引口４７及びインクミスト吸引口４８と連通しているメンテナンス吸引経路管４９と、が設けられている。本実施形態においてメンテナンス吸引経路管４９が残留インクを吸引するメンテナンス吸引経路管とインクミストを吸引するインクミスト吸引経路管を兼用している。メンテナンス吸引口４７及びインクミスト吸引口４８は、メンテナンス部４６の面上にわたって１つずつ形成されている。
【００２３】
なお詳細については後述するが残留インクやインクミストは、残留インク及びインクミストを吸引する吸引部であるポンプ７０によりメンテナンス吸引口４７またはインクミスト吸引口４８と、メンテナンス吸引経路管４９と、を経由してタンク８０に蓄積される。
【００２４】
次に本実施形態におけるメンテナンス方法について図２（ａ）、図２（ｂ）を参照して説明する。
【００２５】
図２（ａ）に示すようにノズル２２の吸引メンテナンスにおいては、搬送機構３０が図示しない第１の昇降機構により下降する。次に支柱４１は、図示しない移動機構よって下降され、さらに搬送方向上流にスライド移動される。支柱４１の移動に伴い、支柱４１に支持されているメンテナンス部４６も同様に搬送方向上流にスライド移動する。これによりメンテナンス部４６は、ノズル２２に対向配置される。詳細にはメンテナンス部４６に設けられているメンテナンス吸引口４７がノズル２２に対向配置される。
【００２６】
メンテナンス吸引口４７がノズル２２に対向配置されると、ノズル２２に付着した残留インクは、ポンプ７０によりメンテナンス吸引口４７から吸引され、メンテナンス吸引経路管４９と、を経由して、タンク８０に蓄積される。
【００２７】
また図２（ｂ）に示すように画像記録時におけるメンテナンスにおいては、図２(ａ)に示す状態から支柱４１が、図示しない移動機構よって搬送方向下流にスライド移動し上昇される。支柱４１の移動に伴い、支柱４１に支持されているメンテナンス部４６も同様に搬送方向下流にスライド移動し上昇される。これによりメンテナンス部４６は、ヘッド２１のＸ軸方向における搬送方向下流の側面近傍の退避スペースに移動することとなる。詳細にはメンテナンス部４６に設けられているインクミスト吸引口４８がノズル２２の側面近傍に配置される。
【００２８】
インクミスト吸引口４８がノズル２２の側面近傍に配置されると、ノズル２２と搬送機構３０の間の空間に浮遊するインクミストは、ポンプ７０によりインクミスト吸引口４８から吸引され、メンテナンス吸引経路管４９と、を経由して、タンク８０に蓄積される。
【００２９】
なおメンテナンス部４６が図２（ａ）に示すノズル２２に対向配置している状態から図２（ｂ）に示す退避スペースに配置されている状態に移動するまでの間、また図２（ｂ）に示す退避スペースに配置されている状態から図２（ａ）に示すノズル２２に対向配置している状態に移動するまでの間にも、ポンプ７０が吸引動作を続けていることで、インクミスト吸引口４８からのインクの垂れを防止することが望ましい。
【００３０】
このように本実施形態は、インクミスト吸引口４８をノズル２２の近傍に設けるために、従来の構成に比べてインクミストが流れる流路が短くなり、効率よくインクミストを吸引することができる。またメンテナンス吸引経路管４９が残留インクを吸引するインク吸引経路管とインクミストを吸引するインクミスト吸引経路管を兼用しているため、新たにインクミスト専用のインクミスト吸引経路管を設ける必要はなく、簡易な構造でインクミストを吸引することができる。これにより高品質な画像を記録できる。
【００３１】
本実施形態において、メンテナンス部４６は、支柱４１と共に移動するがこの構成に限定されることはなく、例えばメンテナンス部４６を支持する支柱４１は、搬送機構３０に配置され、搬送機構３０が図示しない昇降機構により昇降することにより支柱４１も昇降し、よってメンテナンス部４６も昇降する構成でも良い。また搬送機構３０が上流または下流に移動することによりメンテナンス部４６がスライドに移動する構成でも良い。
【００３２】
次に図３を参照して第２の実施形態について説明する。前述した第１の実施形態と同様な部位においては同符合を付し、その詳細な説明は省略する。
【００３３】
図３（ａ）は、メンテナンスの際の画像記録装置の概略側面図、図３（ｂ）は画像記録の際の画像記録装置の概略側面図である。
【００３４】
本実施形態では、図３に示すようにインクミスト吸引口４８は、メンテナンス吸引口４７の反対側に設けられている。つまりメンテナンスユニット４０に設けるインクミスト吸引口４８を、搬送機構３０に対向する方向、すなわちメンテナンスユニット４０の下方に向けて開口するように設けている。このインクミスト吸引口４８には、吸引したインクミストがベルト３１や記録媒体１に垂れることを防止するため、インクミスト垂れ防止のフィルタ２３を設けている。
【００３５】
これにより、インクミストが主に発生する場所に極めて近い箇所にインクミスト吸引口４８を設けているために簡易な構造で効率のよいインクミストの吸引が行える。さらにインクミスト吸引口４８にフィルタ２３を設けているためにため、吸引したインクミストがヘッド２１や搬送機構３０に向かって飛散することを防止することができる。
【００３６】
次に図４を参照して第３の実施形態について説明する。前述した第１の実施形態と同様な部位においては同符合を付し、その詳細な説明は省略する。
【００３７】
図４（ａ）は、メンテナンスの際の画像記録装置の概略側面図、図４（ｂ）は画像記録の際の画像記録装置の概略側面図である。
【００３８】
前述した各実施形態は、一方の吸引口が動作している間、他方の吸引口が開口しているために、吸引動作における吸引圧が下がってしまう。そのため本実施形態は、メンテナンスユニット４０にインクミスト吸引蓋５６及びメンテナンス吸引蓋５７を設け、動作していない吸引口に対して蓋をして吸引圧を上げる構成である。
【００３９】
まず図４（ａ）を参照してメンテナンスの際にインクミスト吸引口４８にかぶせるインクミスト吸引蓋５６の構成について説明する。
【００４０】
ヘッド２１またはヘッドユニット２０には、Ｙ軸方向において搬送方向上流の側面に昇降可能なインクミスト吸引蓋５６が設けられている。インクミスト吸引蓋５６は、メンテナンスの際には、自重、または図示しない付勢手段により、インクミスト吸引口４８近傍まで下降し、ポンプ７０により発生する負圧により、インクミスト吸引口４８に密着し蓋をする。
【００４１】
このインクミスト吸引蓋５６には、突起部５５が設けられている。上述したように画像記録時にメンテナンスユニット４０がヘッド２１間の退避スペースに退避する際、支柱４１がスライド移動し上昇する。支柱４１がスライド移動し上昇するに伴い、突起部５５はインクミスト吸引口４８から離れ、記録媒体の通過スペースから退避することとなる。
【００４２】
次に図４（ｂ）を参照して画像記録の際にメンテナンス吸引口４７にかぶせるメンテナンス吸引蓋５７の構成について説明する。
【００４３】
ヘッド２１またはヘッドユニット２０には、ヘッド２１間に固定されたメンテナンス吸引蓋５７が設けられている。画像記録時、メンテナンス部４６がヘッド２１間の退避スペースに移動するために上昇すると、メンテナンス吸引蓋５７がメンテナンス吸引口４７に密着し蓋をする。
【００４４】
このメンテナンス吸引蓋５７は、メンテナンス部４６が下降して退避スペースから離れることにより、メンテナンス吸引口４７から離れることになる。
【００４５】
インクミスト吸引蓋５６及びメンテナンス吸引蓋５７は、弾性部材であるか、もしくは密着面に弾性部材を設け、ポンプ７０による吸引力によりインクミスト吸引蓋５６と、メンテナンス吸引口４７を密着し確実に蓋をする。
【００４６】
このように本実施形態は、簡易な構造で稼動しない吸引口に蓋をすることにより、前述した第１の実施形態に比べ吸引効率が向上し、良好なメンテナンス吸引およびインクミスト吸引が行える。これにより高品質な画像を記録することができる。
【００４７】
次に図５を参照して第４の実施形態について説明する。前述した第１の実施形態と同様な部位においては同符合を付し、その詳細な説明は省略する。
【００４８】
図５（ａ）は、メンテナンスの際の画像記録装置の概略側面図、図５（ｂ）は、画像記録の際の画像記録装置の概略側面図である。
【００４９】
本実施形態においてメンテナンス部４６には、メンテナンス吸引口４７と連通して残留インクを吸引するメンテナンス吸引経路管４９と、インクミスト吸引口４８と連通してインクミストを吸引するインクミスト吸引経路管５９と、メンテナンス吸引経路管４９と、インクミスト吸引経路管５９と接続している電磁弁５８と、を設けている構成である。電磁弁５８は、図５（ａ）に示すようにメンテナンス時にはメンテナンス吸引経路管４９とポンプ７０が接続するように、図５（ｂ）に示すように画像記録時にはインクミスト吸引経路管５９とポンプ７０が接続するように、図示しない制御部によって弁の開放が選択的に切り替わる開閉機構である。切り替わった後、それぞれの経路管から残留インクまたはインクミストが吸引される。
【００５０】
前述した第１の実施形態では、メンテナンス吸引経路管４９が残留インクを吸引するインク吸引経路管とインクミストを吸引するインクミスト吸引経路管を兼用したが、本実施形態は、インクミスト吸引及び残留インク吸引専用の経路管をそれぞれ設け、吸引切り替えを行うために、第１の実施形態に比べて吸引圧を上げることができる。また第２の実施形態と比べて簡易な構造で吸引の切り替えを行えるため簡易に吸引圧を上げることができる。このため高品質な画像を記録することができる。
【図面の簡単な説明】
【００５１】
【図１】本発明に係る第１の実施形態の画像記録装置の概略斜視図である。
【図２】図２（ａ）は、メンテナンスの際の図１に示した画像記録装置の概略側面図、図２（ｂ）は画像記録の際の図１に示した画像記録装置の概略側面図である。
【図３】図３（ａ）は第２の実施形態におけるメンテナンスの際の画像記録装置の概略側面図、図３（ｂ）は第２の実施形態における画像記録の際の画像記録装置の概略側面図である。
【図４】図４（ａ）は第３の実施形態におけるメンテナンスの際の画像記録装置の概略側面図、図４（ｂ）は第３の実施形態における画像記録の際の画像記録装置の概略側面図である。
【図５】図５（ａ）は第４の実施形態におけるメンテナンスの際の画像記録装置の概略側面図、図５（ｂ）は第４の実施形態における画像記録の際の画像記録装置の概略側面図である。
【図６】従来の画像記録装置の概略斜視図である。
【図７】図７（ａ）はメンテナンスの際の図６に示した画像記録装置の概略側面図、図７（ｂ）は画像記録の際の画像記録装置の概略側面図、図７（ｃ）は画像記録の際にメンテナンス部が図７（ｂ）の状態から回動した画像記録装置の概略側面図である。
【符号の説明】
【００５２】
１…記録媒体、１０…画像記録装置、２０…ヘッドユニット、２１…ヘッド、２２…ノズル、２３…フィルタ、３０…搬送機構、３１…ベルト、３２…ローラ、３３…孔、４０…メンテナンスユニット、４１…支柱、４６…メンテナンス部、４７…メンテナンス吸引口、４８…インクミスト吸引口、４９…メンテナンス吸引経路管、５５…突起部、５６…インクミスト吸引蓋、５７…メンテナンス吸引蓋、５８…電磁弁、５９…インクミスト吸引経路管、７０…ポンプ、８０…タンク。
【図１】
2007216420.tif 000003
【図２】
2007216420.tif 000004
【図３】
2007216420.tif 000005
【図４】
2007216420.tif 000006
【図５】
2007216420.tif 000007
【図６】
2007216420.tif 000008
【図７】
2007216420.tif 000009